(57)【要約】【課題】  ワイヤレス通信で、キーボードや描画入力装置等の操作用装置や他の周辺装置の使用できる範囲（角度）が広がり、装置の利便性が向上するワイヤレス通信システムを提供する。【解決手段】  データ処理装置に発光方向がそれぞれ異なる複数の受発光部３０〜３２を備え、当該データ処理装置は、ワイヤレス通信の開始時、予め定められた受発光部を用いて相手装置とのコネクションの確立を試行し、相手装置とのコネクションが確立すると、使用できる受発光部の数と現在使用している受発光部を示す情報を相手装置に送信し、相手装置は、データ処理装置から前記情報を受信すると、前記情報または前記情報を受信したことを表示し、データ処理装置は、相手装置からの受発光部切り換えコマンドを受信すると、これまでのコネクションを解放して前記受発光部切り換えコマンドに基づき使用する受発光部を切り換えて相手装置とワイヤレス通信を行なう。【選択図】        図２
2005317030.tif 000002
【特許請求の範囲】
【請求項１】
ワイヤレス通信を実行する一つのデータ処理装置と相手装置とからなるワイヤレス通信システムであって、
前記データ処理装置に発光方向がそれぞれ異なる複数の受発光部を備え、
当該データ処理装置は、
ワイヤレス通信の開始時、予め定められた受発光部を用いて前記相手装置とのコネクションの確立を試行し、前記相手装置とのコネクションが確立すると、使用できる受発光部の数と現在使用している受発光部を示す情報を相手装置に送信し、
前記相手装置は、
前記データ処理装置から前記情報を受信すると、前記情報または前記情報を受信したことを表示し、
前記データ処理装置は、
前記相手装置からの受発光部切り換えコマンドを受信すると、これまでのコネクションを解放して前記受発光部切り換えコマンドに基づき使用する受発光部を切り換えて相手装置とワイヤレス通信を行なうことを特徴とするワイヤレス通信システム。
【請求項２】
前記受発光部切り換えコマンドは、選択された受発光部を示す情報を含んだものであり、前記データ処理装置に送信されることを特徴とする請求項１記載のワイヤレス通信システム。
【請求項３】
前記受発光部切り換えコマンドは、オペレータの指示により選択されるものであることを特徴とする請求項２記載のワイヤレス通信システム。
【請求項４】
ワイヤレス通信を実行する一つのデータ処理装置と相手装置とからなるワイヤレス通信システムであって、
前記データ処理装置に発光方向がそれぞれ異なる複数の受発光部を備え、
前記データ処理装置の複数の受発光部にそれぞれ対応して位置された複数の相手装置が存在する場合、
前記データ処理装置は、
ワイヤレス通信の開始時、予め定められた受発光部を用いて前記相手装置とのコネクションの確立を試行し、前記相手装置とのコネクションが確立しない場合、
使用する受発光部を切り換えて前記相手装置に対してコネクションの確立を試行し、
前記相手装置は、
データ処理装置とコネクションが確立していない時にデータ処理装置へ送信するデータが発生した場合、データ処理装置と通信を行なうモードに設定しデータ処理装置からのコネクション確立要求に対して応答を返してコネクションを確立し、前記送信するデータをデータ処理装置へ送信することを特徴とするワイヤレス通信システム。
【発明の詳細な説明】
【技術分野】
【０００１】
本願発明は、ワイヤレス通信を実行する一つのデータ処理装置を複数の人が共有するような場合に適用して好適なワイヤレス通信システムに関するものである。このような利用例として、パーソナルコンピュータ（以下、パソコンと略記する）本体とワイヤレス通信を行うワイヤレスキーボードを、そのパソコン本体に対し広い範囲（角度）で使用する場合や、テレビ会議端末装置本体と操作キーパッド等の間の通信をワイヤレス通信とし、操作キーパッド等をテレビ会議端末装置本体に対し広い範囲（角度）で使用する場合等がある。
【背景技術】
【０００２】
データ処理装置本体とその周辺装置との間の通信をワイヤレス化する場合、電波を使う方法と赤外線を使う方法がある。両者の方法を比較すると、赤外線は電波に比べ、通信部の回路が単純なため製品のコストを安くでき、また消費電力が小さい等のメリットがある。そこで、赤外線はテレビのリモコン等に広く利用されている。
【０００３】
赤外線通信では、業界団体であるＩｒＤＡ（Ｉｎｆｒａｒｅｄ  Ｄａｔａ  Ａｓｓｏｃｉａｔｉｏｎ；１９９３年６月設立）が赤外線データ通信の標準方式であるＩｒＤＡ方式を標準化するまでは、各メーカは独自の伝送方式を使用してきた。ＩｒＤＡ方式は、変復調回路や発光素子、受光素子等のハードウェアが安価であることから、パソコンとその周辺装置との間のワイヤレス通信を中心に広く利用されつつある。
【０００４】
このＩｒＤＡ方式の最大通信距離と放射光の角度を以下に示す。
・最大通信距離は１ｍ、オプションで最大３ｍ。
・放射光の角度は±１５度〜±３０度。
【０００５】
さて、近年、通信回線を介して遠隔地点間でパソコンのアプリケーションを共有するとともに、音声や動画像の送受信を行うパソコン・テレビ会議システムが普及しつつある。このパソコン・テレビ会議システムは会議に参加する複数の人により共有される場合があるが、この場合、キーボードや描画入力装置等の操作用装置も複数の会議参加者で共有される。これらの操作用装置を複数の会議参加者の間で交替で使用する場合、操作性を良くするために、これらの操作用装置を使用する人の手元に移動させたい要望がある。この時、パソコン本体と操作用装置間が接続コードで接続されている場合、移動に際し接続コードも移動されるため、この接続コードの移動が煩わしく感じるという欠点がある。
【０００６】
そこで、この接続コードを無くし、ＩｒＤＡ方式の赤外線通信を実行すると、接続コードの移動の煩わしさは解消する。
【０００７】
また、特許文献１には、パソコンが赤外線通信を用いてハンディーターミナルからデータを収集するようにした「ハンディーターミナルによるデータ収集方法」が開示されている。
【０００８】
さらに、特許文献２には、周辺装置と端末本体間をワイヤレス化し、各種周辺装置を本体の操作パネルから集中操作できるようにした「ワイヤレス通信機能付き制御装置及びＴＶ会議装置」が開示されている。
【特許文献１】特開平４−５５９９２号公報
【特許文献２】特開平７−６７０９３号公報
【発明の開示】
【発明が解決しようとする課題】
【０００９】
ところが、上述したように、接続コードを無くし、ＩｒＤＡ方式の赤外線通信を実行すると、接続コードの移動の煩わしさは解消するが、パソコン本体側の発光部に対して操作用装置の使用できる範囲（角度）は、放射光の角度の制約を受ける。したがって、パソコン本体からの赤外線の放射範囲以外では操作用装置が使用できない、という問題がある。例えば、パソコン・テレビ会議システムを３人で共有する場合、両端の人は操作用装置を使用する位置に常に注意を払わなければならず、装置の利便性が悪い、という問題がある。
【００１０】
また、前記特許文献１記載のものでは、赤外線通信で送信されるデータはテレビのリモコンと同様に一方向であり、両方向のデータ通信はできない。したがって、誤り訂正等の高品質なデータ通信を実現することができない。
【００１１】
また、パソコン等の情報処理装置側のレシーバは、「同時に複数のハンディーターミナルから赤外線信号が送信された場合も、データのぶつかり制御を行い、データを整理してＲＳ２３２Ｃインタフェースに出力するため、レシーバ１台に対して複数のハンディーターミナルのデータを受信することができる」という記述があるが、データのぶつかり制御についての具体的な方法が記述されておらず、データの破棄が起こらないという保証がない。
【００１２】
一方、特許文献２記載のものでは、テレビ会議システムの会議出席者の手元にあるディジタイザ・タブレットやマイクとテレビ会議システムの本体との間の情報伝達を赤外光等の光通信で行っているが、ディジタイザ・タブレットやマイクと光通信装置間は接続コードで接続されているため、会議出席者の手元にある周辺装置の移動に際し、この接続コードの移動が前述したと同様に煩わしく感じるという問題点がある。
【００１３】
そこで、本願発明はこのような問題点を解決するためになされたものであり、ワイヤレス通信で、キーボードや描画入力装置等の操作用装置や他の周辺装置の使用できる範囲（角度）が広がり、装置の利便性が向上するワイヤレス通信システムを提供することを目的とするものである。
【００１４】
また、通信回線を介して遠隔地点間でパソコンのアプリケーションを共有するとともに音声や動画像の送受信を行うパソコン・テレビ会議システム等において、キーボードや描画入力装置等の操作用装置を複数の会議参加者の間で交替で使用する場合であって、これらの操作用装置を使用する人の手元に移動して使用する場合に、装置の利便性を向上させることを目的とする。
【００１５】
また、パソコン・テレビ会議システム等において、複数の操作用装置を使用することで、操作用装置を使用する人の手元に移動する手間を省き、装置の利便性を向上させることを目的とする。
【００１６】
また、ワイヤレス通信で送信されるデータは双方向とし、誤り検出、回復機能等を持った高品質な通信を実現することを目的とする。
【課題を解決するための手段】
【００１７】
上記のような目的を達成するために、本願発明は、ワイヤレス通信を実行する一つのデータ処理装置と相手装置とからなるワイヤレス通信システムであって、前記データ処理装置に発光方向がそれぞれ異なる複数の受発光部を備え、当該データ処理装置は、ワイヤレス通信の開始時、予め定められた受発光部を用いて前記相手装置とのコネクションの確立を試行し、前記相手装置とのコネクションが確立すると、使用できる受発光部の数と現在使用している受発光部を示す情報を相手装置に送信し、前記相手装置は、前記データ処理装置から前記情報を受信すると、前記情報または前記情報を受信したことを表示し、前記データ処理装置は、前記相手装置からの受発光部切り換えコマンドを受信すると、これまでのコネクションを解放して前記受発光部切り換えコマンドに基づき使用する受発光部を切り換えて相手装置とワイヤレス通信を行なうことを特徴とするものである。
【００１８】
また、前記受発光部切り換えコマンドは、選択された受発光部を示す情報を含んだものであり、前記データ処理装置に送信されることを特徴とするものである。
【００１９】
また、前記受発光部切り換えコマンドは、オペレータの指示により選択されるものであることを特徴とするものである。
【００２０】
一方、ワイヤレス通信を実行する一つのデータ処理装置と相手装置とからなるワイヤレス通信システムであって、前記データ処理装置に発光方向がそれぞれ異なる複数の受発光部を備え、前記データ処理装置の複数の受発光部にそれぞれ対応して位置された複数の相手装置が存在する場合、前記データ処理装置は、ワイヤレス通信の開始時、予め定められた受発光部を用いて前記相手装置とのコネクションの確立を試行し、前記相手装置とのコネクションが確立しない場合、使用する受発光部を切り換えて前記相手装置に対してコネクションの確立を試行し、前記相手装置は、データ処理装置とコネクションが確立していない時にデータ処理装置へ送信するデータが発生した場合、データ処理装置と通信を行なうモードに設定しデータ処理装置からのコネクション確立要求に対して応答を返してコネクションを確立し、前記送信するデータをデータ処理装置へ送信することを特徴とするものである。
【発明の効果】
【００２１】
本願発明によれば、データ処理装置に発光方向がそれぞれ異なる複数の受発光部を備え、当該データ処理装置は、ワイヤレス通信の開始時、予め定められた受発光部を用いて相手装置とのコネクションの確立を試行し、相手装置とのコネクションが確立すると、使用できる受発光部の数と現在使用している受発光部を示す情報を相手装置に送信し、相手装置は、データ処理装置から前記情報を受信すると、前記情報または前記情報を受信したことを表示し、データ処理装置は、相手装置からの受発光部切り換えコマンドを受信すると、これまでのコネクションを解放して前記受発光部切り換えコマンドに基づき使用する受発光部を切り換えて相手装置とワイヤレス通信を行なうことにより、キーボードや描画入力装置等の操作用装置、または他の周辺装置の使用できる範囲（角度）が広がり、装置の利便性が向上する効果がある。また、キーボードや描画入力装置等の操作用装置を複数の人で共有する場合、装置の利便性が向上する効果がある。
【００２２】
一方、データ処理装置に発光方向がそれぞれ異なる複数の受発光部を備え、データ処理装置の複数の受発光部にそれぞれ対応して位置された複数の相手装置が存在する場合、データ処理装置は、ワイヤレス通信の開始時、予め定められた受発光部を用いて相手装置とのコネクションの確立を試行し、相手装置とのコネクションが確立しない場合、使用する受発光部を切り換えて相手装置に対してコネクションの確立を試行し、相手装置は、データ処理装置とコネクションが確立していない時にデータ処理装置へ送信するデータが発生した場合、データ処理装置と通信を行なうモードに設定しデータ処理装置からのコネクション確立要求に対して応答を返してコネクションを確立し、前記送信するデータをデータ処理装置へ送信することにより、ワイヤレス通信の実行を希望する周辺装置のみがコネクションを確立してワイヤレス通信を実行するため、周辺装置の不必要なコネクションの確立が起こらず、装置の利便性が向上する。また、オペレータがワイヤレス通信を開始するための操作、すなわち、通信実行モードの切り換え操作が不要となり、装置の利便性がさらに向上する効果がある。
【発明を実施するための最良の形態】
【００２３】
以下、本願発明の実施形態を図面を参照して詳細に説明する。
【００２４】
ここでは、本願発明のワイヤレス通信を実行するシステムとして、前述のパソコン・テレビ会議システムを例にとって説明する。
【００２５】
パソコン・テレビ会議システムの機器構成図を図１に示す。図中、１はパソコン本体、２はディスプレイ（ＣＲＴ）、３はビデオカメラ、４はマイク、５はキーボード、６はマウス、７は描画入力装置、８は描画入力装置７に文字等を入力するときに使用する電子ペンである。
【００２６】
パソコン・テレビ会議システム本体のシステム構成図を図２に示す。図中、ＣＰＵ１１、メインメモリ１２、クロック１３、バスコントローラ１４、ＲＯＭ１５、キーボードコントローラ１６、マウスＩ／Ｆ１７、ＲＴＣ１８、ＰＣＩブリッジ１９、キャッシュメモリ２０、ハードディスク２１、ＳＣＳＩコントローラ２２、ＣＲＴ表示コントローラ２３、テレビ会議用拡張ボード２４（ビデオコントローラ２５と通信＆オーディオコントローラ２６を含む）、スピーカ２７、直−並列変換回路２８、スイッチ回路２９、赤外線受発光モジュール(1)３０（カッコ付き数字は図中の丸付き数字を示す、以下同様）、赤外線受発光モジュール(2)３１、赤外線受発光モジュール(3)３２、ＣＰＵバス３３、ＰＣＩバス３４、Ｘバス（内部バス）３５は、パソコン本体１に実装されている。
【００２７】
ＣＰＵ１１は、ＲＯＭ（Ｒｅａｄ  Ｏｎｌｙ  Ｍｅｍｏｒｙ）１５に記憶された制御処理プログラム、ＯＳ（Ｏｐｅｒａｔｉｎｇ  Ｓｙｓｔｅｍ）や各種のアプリケーションプログラムを実行、処理する。メインメモリ１２は、ＤＲＡＭ（Ｄｙｎａｍｉｃ  Ｒａｎｄｏｍ  Ａｃｃｅｓｓ  Ｍｅｍｏｒｙ）より構成されており、ＣＰＵ１１のワークエリア等に使用される。クロック１３は、水晶発振子と分周回路から構成されており、ＣＰＵ１１やバスコントローラ１４の動作タイミングを制御するためのクロックを生成している。バスコントローラ１４は、ＣＰＵバス３３とＸバス３５でのデータ転送を制御する。ＲＯＭ１５は、電源オン時のシステム立ち上げや各種デバイスの制御を行うためのプログラムが予め書き込まれている。
【００２８】
キーボードコントローラ１６は、キーボード５から入力されたシリアルデータからパラレルデータへの変換等を行う。マウス１／Ｆ（インタフェース）１７は、マウス用のポートを持ち、マウスドライバ（制御プログラム）によって制御される。ＲＴＣ（Ｒｅａｌ  Ｔｉｍｅ  Ｃｌｏｃｋ）１８は、日付時計であり、バッテリーによりバックアップされている。
【００２９】
ＰＣＩ（Ｐｅｒｉｐｈｅｒａｌ  Ｃｏｍｐｏｎｅｎｔ  Ｉｎｔｅｒｃｏｎｎｅｃｔ）ブリッジ１９は、キャッシュメモリ２０を使用して、ＰＣＩバス３４とＣＰＵ１１との間のデータ転送を行う。キャッシュメモリ２０は、ＤＲＡＭより構成されており、ＰＣＩブリッジ１９により使用される。
【００３０】
ハードディスク２１は、システムソフトウェア、各種のアプリケーションプログラム、多数のユーザデータ等を記憶する。ＳＣＳＩ（Ｓｍａｌｌ  Ｃｏｍｐｕｔｅｒ  Ｓｙｓｔｅｍ  Ｉｎｔｅｒｆａｃｅ）コントローラ２２は、ハードディスク２１とのインタフェースであり、ハードディスク２１と高速データ転送を行う。
【００３１】
ＣＲＴ表示コントローラ２３は、文字やグラフィックデータ、または、ビデオコントローラ２５から供給されるビデオデータをＤ／Ａ（Ｄｉｇｉｔａｌ／Ａｎａｌｏｇ）変換するとともに、これらのデータをＣＲＴ２に表示するための制御を行う。
【００３２】
テレビ会議用拡張ボード２４は、ビデオコントローラ２５と通信＆オーディオコントローラ２６から構成されており、ＰＣＩ拡張バススロットに装着されている。ビデオコントローラ２５は、ビデオカメラ３から入力されるアナログビデオ信号をＡ／Ｄ（Ａｎａｌｏｇ／Ｄｉｇｉｔａｌ）変換し、ＣＲＴ表示コントローラ２３に供給したり、テレビ会議通信中においては、Ａ／Ｄ変換されたビデオデータに対してＩＴＵ−Ｔ勧告Ｈ．２６１に従った符号化を行い、圧縮されたデータを通信＆オーディオコントローラ２６に出力し、また、通信＆オーディオコントローラ２６から入力される圧縮ビデオデータに対してＩＴＵ−Ｔ勧告Ｈ．２６１に従った復号化を行い、伸長されたデータをＣＲＴ表示コントローラ２３に供給する。通信＆オーディオコントローラ２６は、マイク４、スピーカ２７等が接続され、また音声信号のＡ／Ｄ変換およびＩＴＵ−Ｔ勧告Ｇ．７２２等の符号化を行う音声コーデック、ＩＴＵ−Ｔ勧告Ｈ．２２１に準拠した各種メディアデータの多重・分離制御部、Ｄチャネルを用いた呼の接続、切断を実行するＤチャネル制御部およびＩＳＤＮインターフェイス等を含んでおり、主に通信制御のハードウェア部分を処理する。
【００３３】
直−並列変換回路２８は、赤外線データ通信において使用され、送信データをパラレルからシリアルへ、また受信データをシリアルからパラレルへ変換する。スイッチ回路２９は、赤外線受発光モジュール(1)３０、赤外線受発光モジュール(2)３１、赤外線受発光モジュール(3)３２の中の任意の１つと直−並列変換回路２８とを接続し、使用する赤外線受発光モジュールを切り換える。赤外線受発光モジュール(1)３０、赤外線受発光モジュール(2)３１、赤外線受発光モジュール(3)３２は、ＩｒＤＡ方式の赤外線通信を実行するために必要な回路で、その内部の構成を図３に示す。
【００３４】
図３に示すように、これらの赤外線受発光モジュールは、非同期送受信回路４０、変復調回路４１、アンプ４２、アンプ４３、赤外線発光ダイオード４４、フォトダイオード４５から構成されている。非同期送受信回路４０は、スイッチ回路２９と変復調回路４１との間に位置し、変復調回路４１に対してデータを非同期に送受信する。変復調回路４１は、送信データをＲＺ（Ｒｅｔｕｒｎ ｔｏ Ｚｅｒｏ）符号を用いて変調し、変調されたアナログ信号をアンプ４２へ出力するとともに、アンプ４３から受信したアナログ信号を復調して、シリアルデータを非同期送受信回路４０へ出力する。なお、ＲＺ符号は、伝送するデータが“０”のときに赤外光を放射し、“１”のときには放射しない方式である。赤外線発光ダイオード４４は、電流のオン・オフに従い、ピーク波長が８５０ｎｍ〜９００ｎｍ、放射角度±１５度〜±３０度の赤外線を発光または消光する。フォトダイオード４５は、赤外光を受信すると電流を出力する。
【００３５】
これらの３つの赤外線受発光モジュールは、発光ダイオード４４とフォトダイオード４５を外側に向け、パソコン本体１の前側の側面（前面）に、それぞれ向きを変えて取り付けられている。これらの赤外線受発光モジュールの取り付け例を図４の（ａ）、（ｂ）、（ｃ）に示す。図４の（ａ）は前から見た場合、図４の（ｂ）は上から投影して見た場合、図４の（ｃ）は右から投影して見た場合を示している。また、図４の（ｂ）は放射光の範囲も示している。なお、パソコン本体１の前面には、通常、電源スイッチ、フレキシブルディスク・ディスケットやＣＤ−ＲＯＭ（Ｃｏｍｐａｃｔ  Ｄｉｓｃ  Ｒｅａｄ  ０ｎｌｙ  Ｍｅｍｏｒｙ）の挿入口等があるが、ここでは、それらの図示を省略している。赤外線受発光モジュール(2)３１は、発光される赤外線の中心線が側面に対して９０度の角度になるように取り付けられており、赤外線受発光モジュール(1)３０と赤外線受発光モジュール(3)３２は、それぞれの発光の中心線が赤外線受発光モジュール(2)３１の発光の中心線に対して３０度の角度になるように取り付けられている。
【００３６】
なお、赤外線受発光モジュールの取り付け場所はパソコン本体１の側面に限られるものではなく、例えば、パソコン本体１の外部に専用の箱体を設けて、発光ダイオード４４とフォトダイオード４５を外側に向けて、その中に収納することもできる。
【００３７】
次に、パソコン本体１と赤外線通信を実行する描画入力装置７について説明する。描画入力装置７の構成図を図５に示す。図中、ＣＰＵ５０は、ＲＯＭ５１に記憶された制御処理プログラムに従って、装置全体を制御する。ＲＯＭ５１は、装置全体の制御を行うためのプログラムやＩｒＤＡ方式の赤外線通信プロトコルを実行するプログラムが予め書き込まれている。ＲＡＭ５２は、ＣＰＵ５０のワークエリアとして使用される他、赤外線通信時の送信データ用バッファ、受信データ用バッファとしても使用される。
【００３８】
ＬＣＤ表示コントローラ５３は、ＬＣＤ５４の表示画面を制御する。タッチパネルコントローラ５５は、タッチパネル５６上で電子ペン８のペン先が接触した部分を検出し、その位置情報を取り込む。タッチパネル５６はＬＣＤ５４と重ね合わせて密着している。赤外線通信コントローラ５７は、直−並列変換回路と赤外線受発光モジュールから構成されており、これらは、それぞれ前述したパソコン本体１の直−並列変換回路２８、赤外線受発光モジュール(1)３０〜(3)３２と同様のものである。バス５８は、上記各構成要素間でデータを転送するために使用される。
【００３９】
この描画入力装置７は、手書き文字入力モードに設定されている場合、電子ペン８にてタッチパネル５６上に加筆すると、その筆跡がＬＣＤ５４上に表示される。また、ＬＣＤ５４上に英数字の一覧を表示し、英数字の他に仮名漢字変換を用いてかなや漢字を入力することもできる。さらに、カーソル移動キーをＬＣＤ５４上に表示し、これをポイントすることで、パソコン・テレビ会議システム本体のＣＲＴ２に表示されたカーソルを移動させることができる。描画入力装置７より入力された文字や描画データは、ＬＣＤ５４に表示されるとともに、赤外線通信によりパソコン本体１へ送信され、ＣＲＴ２にも表示される。パソコン・テレビ会議システムが会議通信中で共有黒板モードにある場合には、パソコン本体１は描画入力装置７から受信した表示データをＣＲＴ２に表示するとともに相手のパソコン・テレビ会議システムにも送信し、相手側のＣＲＴにも表示される。また、描画入力装置７は、パソコン本体１から受信した表示データをＬＣＤ５４に表示することもできる。
【００４０】
次に、ＩｒＤＡ方式の赤外線通信プロトコルについて説明する。ＩｒＤＡ方式のプロトコル構成を図６に示す。
【００４１】
図中、アプリケーション６０は、本実施形態の場合、文字や描画データ、またカーソル移動指示データ等を伝送するアプリケーションである。ＴＰエンティティ（Ｅｎｔｉｔｉｅｓ）６１は、ＯＳＩ（Ｏｐｅｎ  Ｓｙｓｔｅｍｓ  Ｉｎｔｅｒｃｏｎｎｅｃｔｉｏｎ）参照モデルのトランスポートプロトコル（レイヤ４）を実行するエンティティ（実体）であり、このエンティティはオプションである。なお、ＴＰは“ｔｒａｎｓｐｏｒｔ”の略である。ＬＭ−ＩＡＳ（Ｌｉｎｋ  Ｍａｎａｇｅｍｅｎｔ  Ｉｎｆｏｒｍａｔｉｏｎ  Ａｃｃｅｓｓ  Ｓｅｒｖｉｃｅ）６２は、通信している機器が何であるかを示す情報をやり取りする。このＬＭ−ＩＡＳ６２と前記ＴＰエンティティ６１は同じレイヤに位置しており、１つのアプリケーション間コネクションでは、いずれか１つが選択されて使用される。本実施形態では、ＬＭ−ＩＡＳ６２を使用し、ＴＰエンティティ６１は使用しない。
【００４２】
ＬＭ−ＭＵＸ（Ｌｉｎｋ  Ｍａｎａｇｅｍｅｎｔ  Ｍｕｌｔｉｐｌｅｘｅｒ）６３は、複数のサービスアクセスポイントを持つことができ、複数のアプリケーションのデータ伝送を同時に処理する。ＩｒＬＡＰ（Ｉｎｆｒａｒｅｄ  Ｌｉｎｋ  Ａｃｃｅｓｓ  Ｐｒｏｔｏｃｏｌ）６４は、ＨＤＬＣ（Ｈｉｇｈ  ｌｅｖｅｌ  Ｄａｔａ  Ｌｉｎｋ  Ｃｏｎｔｒｏｌ  ｐｒｏｃｅｄｕｒｅｓ）の不平衡型手順クラスを基にして規定されている。不平衡型手順クラスとは、一方の局が制御に関して全責任を持つものであり、一次局と二次局の接続により構成される。この場合、一次局は単一であるが、二次局は複数存在することができる。本実施形態の場合は、パソコン本体１が一次局であり、描画入力装置７が二次局である。ＩｒＤＡ−ＳＩＲ（ＩｒＤＡ  Ｓｅｒｉａｌ  Ｉｎｆｒａｒｅｄ  Ｐｈｙｓｉｃａｌ  Ｌａｙｅｒ）６５は、変調方式など赤外線通信の物理的な仕様を規定している。
【００４３】
本実施形態では、ＩｒＤＡ方式の赤外線通信プロトコルを使用して、文字や描画データ、またカーソル移動指示データ等を伝送する。ＩｒＤＡ−ＳＩＲ６５を除いた全てのプロトコルはソフトウェアにより実行される。以下、各発明に共通する基本的な動作について説明する。
【００４４】
このパソコン・テレビ会議システムでは、スイッチ回路２９を用いて直−並列変換回路２８と３つの赤外線受発光モジュールの中の１つとを接続する。すなわち、図７の動作フローで示すように、スイッチ回路２９はＣＰＵ１１から選択信号を受信すると（判断１０１のＹＥＳ）、それまでの接続を切り離して、選択信号により指定された赤外線受発光モジュールと直−並列変換回路２８とを接続する（処理１０２）。そして、その接続された赤外線受発光モジュールを使用して、描画入力装置７と赤外線通信を実行する（処理１０３）。
【００４５】
以上のように、パソコン・テレビ会議システムのパソコン本体１に発光方向の異なった３つの赤外線受発光モジュールが具備されており、この中の１つの赤外線受発光モジュールを用いて描画入力装置７とワイヤレス通信を実行するため、描画入力装置７の使用できる範囲（角度）が広がり、装置の利便性が向上する。また、ワイヤレス通信として、ハードウェアが安価な赤外線を使用することにより、装置の製造コストが安価になる。
【００４６】
次に、本願発明の一実施形態について説明する。この実施形態におけるパソコン本体１側の動作フローを図８に、描画入力装置７側の動作フローを図９に示す。
【００４７】
このパソコン・テレビ会議システムは、本体において、描画入力装置７との通信開始キーが選択されることにより（図８の判断２０１のＹＥＳ）、赤外線通信を開始する。まず、中央の赤外線受発光モジュール(2)３１を使用して、描画入力装置７と赤外線通信のコネクションを確立する（処理２０２）。そして、パソコン本体１は、使用できる赤外線受発光モジュールの数，すなわち「３」と、現在使用している赤外線受発光モジュールの番号，すなわち「２」を送信する（処理２０３）。
【００４８】
一方、描画入力装置７は、まず、後述するＳＮＲＭコマンドを受信すると、ＵＡレスポンスを返し、赤外線通信コネクションを確立する（図９の判断３０１のＹＥＳ→処理３０２）。そして、赤外線受発光モジュールの数として「３」、現在使用している赤外線受発光モジュールの番号として「２」を受信すると（処理３０３）、ＬＣＤ５４に赤外線受発光モジュールのアイコンを３つ表示させる（処理３０４）。この時、現在使用されている赤外線受発光モジュールに対応したアイコン、すなわち中央のアイコンをリバース（反転）して表示する。
【００４９】
ＬＣＤ５４における、この赤外線受発光モジュールのアイコンの表示例を図１０に示す。図中のアイコン７０は、赤外線受発光モジュールの番号「１」、すなわち赤外線受発光モジュール(1)３０に対応しており、また、斜線で示すリバース表示のアイコン７１は、赤外線受発光モジュールの番号「２」、すなわち赤外線受発光モジュール(2)３１に対応しており、さらに、アイコン７２は、赤外線受発光モジュールの番号「３」、すなわち赤外線受発光モジュール(3)３２に対応している。
【００５０】
赤外線受発光モジュールのアイコンが表示された後、描画入力装置７は文字や描画データ、またカーソル移動データ等をパソコン本体１へ送信できる状態となる（図９の判断３０５のＹＥＳ→処理３０６、または判断３０７のＹＥＳ→処理３０８）。今、ＬＣＤ５４に表示されたリバースしていないアイコン７０の位置が電子ペン８にてポイントされると（判断３１１のＹＥＳ）、描画入力装置７は、赤外線受発光モジュールの番号「１」を含んだ赤外線受発光モジュールの切り換えコマンドをパソコン本体１へ送信する（処理３１２）。
【００５１】
パソコン本体１は、このコマンドを受信すると（図８の判断２０８のＹＥＳ）、これまでの赤外線通信のコネクションを解放して、スイッチ回路２９により使用する赤外線受発光モジュールを赤外線受発光モジュール(1)３０に切り換える（処理２０９）。そして、この赤外線受発光モジュールを使用して、描画入力装置７とのコネクションの確立を試みる（処理２１０）。
【００５２】
ここで、上記の赤外線受発光モジュール(2)３１を使用した、パソコン本体１と描画入力装置７との間のコネクションの確立から解放までのプロトコルシーケンス例を図１１に示し、この動作について説明する。なお、ＩｒＬＡＰコネクション終端間のＲＲ（Ｒｅｃｅｉｖｅ  Ｒｅａｄｙ）の図示は省略している。
【００５３】
赤外線通信アプリケーション間のコネクション確立までの動作は、パソコン本体１と描画入力装置７とに分けて説明する。まず、パソコン本体１の動作について説明する。
【００５４】
パソコン・テレビ会議システム本体において、描画入力装置７との通信開始キーが選択されると、赤外線通信アプリケーション６０は、ＬＭ−ＩＡＳ６２へコネクション確立要求を出し、このメッセージはＬＭ−ＭＵＸ６３を介してｌｒＬＡＰ６４に通知される。ＩｒＬＡＰ６４はコネクション確立要求（ＩｒＬＡＰ＿ＣＯＮ．ｒｅｑ）を受けると、ＳＮＲＭ（Ｓｅｔ  Ｎｏｒｍａｌ  Ｒｅｓｐｏｎｓｅ  Ｍｏｄｅ）コマンドを送信する。そして、相手からＵＡ（Ｕｎｎｕｍｂｅｒｅｄ  Ａｃｋｎｏｗｌｅｄｇｍｅｎｔ）レスポンスを受信すると、ＬＭ−ＭＵＸ６３へデータリンクコネクション確立確認（ＩｒＬＡＰ＿ＣＯＮ．ｃｎｆ）を出す。ＬＭ−ＭＵＸ６３はこのメッセージを受けると、ＣＲ ＬＭ−ＰＤＵ（Ｃｏｎｎｅｃｔ  Ｒｅｑｕｅｓｔ  Ｌｉｎｋ  Ｍａｎａｇｅｍｅｎｔ−Ｐｒｏｔｏｃｏｌ  Ｄａｔａ  Ｕｎｉｔ）をデータ要求（ＩｒＬＡＰ＿ＤＴ．ｒｅｑ）メッセージに含めて、ＩｒＬＡＰ６４へ渡す。ＩｒＬＡＰ６４は、この情報をＩ（Ｉｎｆｏｒｍａｔｉｏｎ）フレームに含めて相手に送信する。その後、相手よりＣＣ ＬＭ−ＰＤＵ（Ｃｏｎｎｅｃｔ  Ｃｏｎｆｉｒｍ  Ｌｉｎｋ  Ｍａｎａｇｅｍｅｎｔ−Ｐｒｏｔｏｃｏｌ   Ｄａｔａ  Ｕｎｉｔ）を含んだＩフレームを受信すると、ＬＭ−ＭＵＸ６３へデータ指示（ＩｒＬＡＰ＿ＤＴ．ｉｎｄ）を出す。ＬＭ−ＭＵＸ６３は、これを受けると、コネクション確立確認をＬＭ−ＩＡＳ６２を介して赤外線通信アプリケーション６０へ渡す。
【００５５】
次に、描画入力装置７の動作について説明する。
【００５６】
ＩｒＬＡＰ６４が相手からＳＮＲＭコマンドを受信すると、ＬＭ−ＭＵＸ６３へデータリンクコネクション確立指示（ＩｒＬＡＰ＿ＣＯＮ．ｉｎｄ）を出す。ＬＭ−ＭＵＸ６３は、このメッセージを受けると、応答（ＩｒＬＡＰ＿ＣＯＮ．ｒｓｐ）をＩｒＬＡＰ６４へ返す。ＩｒＬＡＰ６４は、このメッセージを受けると、ＵＡレスポンスを相手に送信する。その後、相手からＣＲ ＬＭ−ＰＤＵを含んだＩフレームを受信すると、ＩｒＬＡＰ６４は、ＬＭ−ＭＵＸ６３へデータ指示（ＩｒＬＡＰ＿ＤＴ．ｉｎｄ）を出す。ＬＭ−ＭＵＸ６３は、このメッセージを受けると、コネクション確立指示をＬＭ−ＩＡＳ６２を介して赤外線通信アプリケーション６０へ渡す。赤外線通信アプリケーション６０は、この応答メッセージをＬＭ−ＩＡＳ６２を介してＬＭ−ＭＵＸ６３へ渡す。ＬＭ−ＭＵＸ６３は、これを受けると、ＣＣ ＬＭ−ＰＤＵをデータ要求（ＩｒＬＡＰ＿ＤＴ．ｒｅｑ）メッセージに含めて、ＩｒＬＡＰ６４へ渡す。ＩｒＬＡＰ６４は、この情報をＩ（Ｉｎｆｏｒｍａｔｉｏｎ）フレームに含めて相手に送信する。
【００５７】
このようにして、赤外線通信アプリケーション間のコネクションが確立される（図８の処理２０２までと、図９の処理３０２までに相当）。コネクションが確立されると、パソコン本体１は使用できる赤外線受発光モジュールの数と、現在使用している赤外線受発光モジュールの番号をＤＴ ＬＭ−ＰＤＵ（Ｄａｔａ  Ｌｉｎｋ  Ｍａｎａｇｅｍｅｎｔ−Ｐｒｏｔｏｃｏｌ  Ｄａｔａ  Ｕｎｉｔ）に含めて相手に送信する。その後、描画入力装置７は、カーソル移動指示データや描画データをＤＴ ＬＭ−ＰＤＵに含めて相手に送信する。そして、ユーザにより描画入力装置７のＬＣＤ５４に表示されたリバースされていない赤外線受発光モジュールのアイコンが選択されると、赤外線受発光モジュールの切り換えコマンドをＤＴ ＬＭ−ＰＤＵに含めて相手に送信する。パソコン本体１の赤外線通信アプリケーション６０は、このコマンドを受けると、ＬＭ−ＩＡＳ６２へコネクション解放要求を出し、このメッセージはＬＭ−ＭＵＸ６３を介してＩｒＬＡＰ６４に通知される。
【００５８】
ＩｒＬＡＰ６４は、このメッセージを受けると、ＤＩＳＣ（Ｄｉｓｃｏｎｎｅｃｔ）コマンドを送信する。描画入力装置７のＩｒＬＡＰ６４は、このコマンドを受信すると、相手にＵＡレスポンスを送信するとともに、切断指示（ＩｒＬＡＰ＿ＤＩＳ．ｉｎｄ）メッセージをＬＭ−ＭＵＸ６３へ渡す。ＬＭ−ＭＵＸ６３は、この切断指示メッセージをＬＭ−ＩＡＳ６２を介して赤外線通信アプリケーション６０へ渡す。
【００５９】
一方、パソコン本体１のＩｒＬＡＰ６４は、ＵＡレスポンスを受信すると、切断指示（ＩｒＬＡＰ＿ＤＩＳ．ｉｎｄ）メッセージをＬＭ−ＭＵＸ６３へ渡す。ＬＭ−ＭＵＸ６３は、この切断指示メッセージをＬＭ−ＩＡＳ６２を介して赤外線通信アプリケーション６０へ渡す。このようにして、赤外線通信アプリケーション間のコネクションが解放される（図８の処理２０９までと、図９の処理３１３までに相当）。
【００６０】
次に、パソコン本体１は、スイッチ回路２９を使用して、描画入力装置７から指定された番号の赤外線受発光モジュールに接続を切り換える（図８の処理２０９）。この例では、指定された赤外線受発光モジュールの番号は「１」であるため、赤外線受発光モジュール(1)３０が使用可能な状態となる。そして、パソコン本体１の赤外線通信アプリケーション６０は、ＬＭ−ＩＡＳ６２へコネクション確立要求を出し、以降、上記と同様の手順により描画入力装置７とコネクションを確立する（処理２１０）。なお、パソコン本体１のＩｒＬＡＰ６４はこの要求を受けると、ＳＮＲＭコマンドを所定の時間間隔で繰り返し送出し、相手からのＵＡレスポンスの受信を待つ。そして、ユーザが描画入力装置７を赤外線受発光モジュール(1)３０と通信できる位置まで移動させると（図９の処理３１４）、描画入力装置７はＳＮＲＭコマンドを受信し（判断３０１のＹＥＳ）、ＵＡレスポンスを返す（処理３０２）。このようにして、コネクション確立手順が開始される。
【００６１】
コネクションが確立すると、描画入力装置７におけるユーザの操作により、文字や描画データ、またカーソル移動データ等をパソコン本体１へ送信する（図９の判断３０５のＹＥＳ→処理３０６、または判断３０７のＹＥＳ→処理３０８）。そして、パソコン・テレビ会議システム本体において、描画入力装置７との通信終了キーが選択されるか（図８の判断２１１のＹＥＳ）、あるいはテレビ会議通信が終了すると（判断２１２のＹＥＳ）、赤外線通信アプリケーション間のコネクションを解放し、赤外線通信を終了する（処理２１３）。
【００６２】
以上のように、本実施形態によれば、パソコン・テレビ会議システムのパソコン本体１に具備された発光方向の異なる３つの赤外線受発光モジュールの中から次に使用する赤外線受発光モジュールをユーザが指定できるため、描画入力装置７を複数の人で共有する場合、装置の利便性が向上する。
【００６３】
次に、他の実施形態について説明する。本実施形態の動作フローを図１２に示す。
【００６４】
パソコン・テレビ会議システムは、本体において描画入力装置７との通信開始キーが選択されると（判断４０１のＹＥＳ）、スイッチ回路２９を使用して、まず、赤外線受発光モジュール(2)３１を接続し（処理４０２）、描画入力装置７とのコネクションの確立を試みる。すなわち、ＩｒＬＡＰ６４はＳＮＲＭコマンドを所定の時間間隔で所定の回数だけ送出する（処理４０３→処理４０４→判断４０５のＮＯ→判断４０６のＹＥＳ→処理４０７→判断４０８のＮＯループ）。もし、相手からＵＡレスポンスを受信したら、赤外線通信アプリケーション間のコネクションを確立する（判断４０５のＹＥＳ→処理４０９）。そして、描画入力装置７におけるユーザの操作により、文字や描画データ、またカーソル移動データ等がパソコン本体１へ送信される。
【００６５】
ＳＮＲＭコマンドを所定の回数だけ送出したが、相手からＵＡレスポンスを受信しなかった場合には、スイッチ回路２９を使用して、赤外線受発光モジュール(3)３２の接続へ切り換える（判断４０８のＮＯ→処理４１０）。そして、上記と同様に、ＳＮＲＭコマンドを所定の時間間隔で所定の回数だけ送出し、もし相手からＵＡレスポンスを受信しなかった場合には、スイッチ回路２９を使用して、赤外線受発光モジュール(1)３０の接続へ切り換える。このように、使用する赤外線受発光モジュールを順次、切り換えていき、コネクションの確立を試みる。そして、相手からＵＡレスポンスを受信した場合、赤外線通信アプリケーション間のコネクションを確立する。
【００６６】
以上のように、本実施形態によれば、パソコン・テレビ会議システムのパソコン本体１に具備された発光方向の異なる３つの赤外線受発光モジュールを一定の時間間隔で順次切り換えて描画入力装置７とのコネクションの確立を試行するため、オペレータが次に使用する赤外線受発光モジュールを指定する必要がなくなり、装置の利便性が向上する。
【００６７】
次に、更に他の実施形態として、パソコン本体１の赤外線受発光モジュールの数と同数の描画入力装置が存在し、これらの描画入力装置がそれぞれの赤外線受発光モジュールに対応した位置に存在している場合について説明する。
【００６８】
パソコン本体１と複数の描画入力装置との位置関係を図１３に示す。描画入力装置８０、描画入力装置８１、描画入力装置８２は、それぞれ、赤外線受発光モジュール(1)３０、赤外線受発光モジュール(2)３１、赤外線受発光モジュール(3)３２と通信できる位置に存在している。パソコン本体１が描画入力装置とコネクションを確立するための方法は、上記の実施形態に従った動作を実行する。本実施形態における各描画入力装置の動作フローを図１４に示す。
【００６９】
それぞれの描画入力装置８０〜８２には、パソコン本体１と赤外線通信を実行可能なモードと実行不可のモードがあり、このモード（通信実行モード）を切り換えるためのキーがＬＣＤ５４に表示されている。今、全ての描画入力装置８０〜８２の通信実行モードがオフの状態において、描画入力装置８０のユーザが通信実行モードをオンとすると（判断５０１のＹＥＳ）、描画入力装置８０のＩｒＬＡＰ６４は、ＳＮＲＭコマンド待ちタイマーを起動し（処理５０２）、ＳＮＲＭコマンドの受信を待つ（判断５０３）。そして、ＳＮＲＭコマンドを受信するとＵＡレスポンスを送出して、赤外線通信アプリケーション間のコネクションを確立する（判断５０３のＹＥＳ→処理５０４）。そして、ユーザの操作により、文字や描画データ、またカーソル移動データ等がパソコン本体１へ送信される（処理５０５）。描画入力装置８０のユーザが通信実行モードをオフとすると（判断５０６のＹＥＳ）、赤外線通信アプリケーション間のコネクションを解放し通信を終了する（処理５０７）。
【００７０】
次に、描画入力装置８０が赤外線通信中の時に、他の描画入力装置において、ユーザにより通信実行モードをオンとする操作が行われた場合について説明する。この場合、ＩｒＬＡＰ６４は相手からのＳＮＲＭコマンドの受信を待つが、ＳＮＲＭコマンド待ちタイマーがタイムアウトとなる（判断５０３のＮＯ→判断５０８のＹＥＳ）。そして、ＬＣＤ５４に、他の描画入力装置が現在通信中である旨が表示される（処理５０９）。
【００７１】
以上のように、本実施形態によれば、パソコン・テレビ会議システムのパソコン本体１に具備された発光方向の異なる３つの赤外線受発光モジュールを一定の時間間隔で順次切り換えて、対応する描画入力装置８０〜８２とのコネクションの確立を試行する場合、ワイヤレス通信の実行を希望する描画入力装置のみがコネクションを確立してワイヤレス通信を実行するため、描画入力装置の不必要なコネクションの確立が起こらず、装置の利便性が向上する。
【００７２】
次に、更に他の実施形態について説明する。
【００７３】
図１３に示したように、パソコン本体１の赤外線受発光モジュールの数と同数の描画入力装置８０〜８２が存在し、これらの描画入力装置８０〜８２がそれぞれの赤外線受発光モジュールと通信できる位置に存在している。パソコン本体１が描画入力装置とコネクションを確立するための方法は、前記同様、上記の実施形態に従った動作を実行する。本実施形態における各描画入力装置の動作フローを図１５に示す。
【００７４】
今、全ての描画入力装置８０〜８２が通信を行っていない時に、描画入力装置８０において、ユーザの操作により、パソコン本体１へ送信するための文字や描画データが入力されたり、カーソル移動キーがポイントされると（判断６０１のＹＥＳ）、これらのデータは、ＲＡＭ５２内に割り当てられた送信データ用バッファ領域に記憶される（処理６０２）。また、送信データ用バッファ領域にデータが記憶されたことを意味する変数フラグ（実行プログラム中に定義されている）をオンにする。そして、描画入力装置８０のＩｒＬＡＰ６４は、ＳＮＲＭコマンド待ちタイマーを起動し（処理６０３）、相手からのＳＮＲＭコマンドを待つ（判断６０４）。そして、ＳＮＲＭコマンドを受信するとＵＡレスポンスを送出して、赤外線通信アプリケーション間のコネクションを確立する（判断６０４のＹＥＳ→処理６０５）。そして、先に送信データ用バッファ領域に記憶したデータをパソコン本体１へ送信する（処理６０６）。その後、必要に応じて、ユーザの操作により、文字や描画データ、またカーソル移動データ等がパソコン本体１へ送信される（処理６０７→判断６０８のＮＯループ）。
【００７５】
この実施形態の場合も、通信実行モードを切り換えるためのキーがＬＣＤ５４に表示されている。そして、コネクションが確立すると、通信実行モードをオンに切り換える。すなわち、前記実施形態に対して、ユーザが通信実行モードをオンに切り換える操作を省略している。描画入力装置８０のユーザが通信実行モードをオフとすると、赤外線通信アプリケーション間のコネクションを解放し、通信を終了する（判断６０８のＹＥＳ→処理６０９）。
【００７６】
また、描画入力装置８０が赤外線通信中の時に、他の描画入力装置において、ユーザによりパソコン本体１へ送信するための文字や描画データが入力されたり、カーソル移動キーがポイントされると、前記と同様に、これらのデータは、ＲＡＭ５２内に割り当てられた送信データ用バッファ領域に記憶される。また、送信データ用バッファ領域にデータが記憶されたことを意味する変数フラグをオンにする。そして、描画入力装置８０のＩｒＬＡＰ６４は、ＳＮＲＭコマンド待ちタイマーを起動し、相手からのＳＮＲＭコマンドを待つが、この場合は、ＳＮＲＭコマンド待ちタイマーがタイムアウトとなる（判断６０４のＮＯ→判断６１０のＹＥＳ）。この場合は、先に送信データ用バッファ領域に記憶したデータを消去し、また、送信データ用バッファ領域にデータが記憶されたことを意味する変数フラグをオフにする（処理６１１）。そして、ＬＣＤ５４に、他の描画入力装置が現在通信中である旨を表示する（処理６１２）。また、ＬＣＤ５４の表示を、文字や描画データを送信データ用バッファ領域に記憶した前の状態に戻す（処理６１３）。
【００７７】
以上のように、本実施形態によれば、前記実施形態同様、パソコン・テレビ会議システムのパソコン本体１に具備された発光方向の異なる３つの赤外線受発光モジュールを一定の時間間隔で順次切り換えて、対応する描画入力装置８０〜８２とのコネクションの確立を試行する場合、ワイヤレス通信の実行を希望する描画入力装置のみがコネクションを確立してワイヤレス通信を実行するため、描画入力装置の不必要なコネクションの確立が起こらず、装置の利便性が向上する。また、本実施形態では、オペレータがワイヤレス通信を開始するための操作、すなわち通信実行モードの切り換え操作が不要となり、装置の利便性がさらに向上する。
【００７８】
なお、上記のパソコン・テレビ会議システムを通常のテレビ会議システムに、また、描画入力装置を操作キーパッドに置き換えても、上記の各実施形態と同様の動作を行うことができ、同様な作用効果が得られる。
【００７９】
また、パソコン・テレビ会議システム本体のシステム構成において、使用する赤外線受発光モジュールを切り換えるスイッチ回路２９を使用しない方法もある。この場合、それぞれの赤外線受発光モジュールに対応した直−並列変換回路を実装する。この場合の赤外線受発光モジュールと直−並列変換回路の構成例を図１６に示す。この場合、使用する赤外線受発光モジュールの選択をスイッチにより行うのではなく、使用する直−並列変換回路２８ａ，２８ｂ，２８ｃを選択することで、上記の各実施形態と同様の動作及び作用効果が実現される。
【００８０】
また、本願発明は、本体と複数の操作部間をワイヤレスとしたテレビゲーム機などにも適用可能である。
【図面の簡単な説明】
【００８１】
【図１】本願発明の実施形態に係るパソコン・テレビ会議システムの機器構成図。
【図２】上記図１におけるパソコン・テレビ会議システム本体のシステム構成図。
【図３】上記図２における赤外線受発光モジュールの内部構成図。
【図４】上記赤外線受発光モジュールの具体的な取り付け例を示す図。
【図５】上記図１における描画入力装置のシステム構成図。
【図６】ＩｒＤＡ方式のプロトコル構成図。
【図７】本願発明の実施形態に共通する基本的な動作を示すフローチャート。
【図８】本願発明の一実施形態におけるパソコン本体の動作を示すフローチャート。
【図９】同じく、上記実施形態における描画入力装置の動作を示すフローチャート。
【図１０】赤外線受発光モジュールアイコンの表示例を示す図。
【図１１】赤外線通信のシーケンス例を示す図。
【図１２】他の実施形態におけるパソコン本体の動作を示すフローチャート。
【図１３】パソコン本体と複数の描画入力装置との位置関係を示す図。
【図１４】更に他の実施形態における各描画入力装置の動作を示すフローチャート。
【図１５】更に他の実施形態における各描画入力装置の動作を示すフローチャート。
【図１６】赤外線受発光モジュールと直−並列変換回路の他の構成例を示す図。
【符号の説明】
【００８２】
１  パソコン本体
２  ディスプレイ（ＣＲＴ）
３  ビデオカメラ
４  マイク
５  キーボード
６  マウス
７、８０、８１、８２  描画入力装置
８  電子ペン
１１  ＣＰＵ
１２  メインメモリ
１３  クロック
１４  バスコントローラ
１５  ＲＯＭ
１６  キーボードコントローラ
１７  マウスＩ／Ｆ
１８  ＲＴＣ
１９  ＰＣＩブリッジ
２０  キャッシュメモリ
２１  ハードディスク
２２  ＳＣＳＩコントローラ
２３  ＣＲＴ表示コントローラ
２４  テレビ会議用拡張ボード
２５  ビデオコントローラ
２６  通信＆オーディオコントローラ
２７  スピーカ
２８、２８ａ、２８ｂ、２８ｃ  直−並列変換回路
２９  スイッチ回路
３０〜３２  赤外線受発光モジュール
３３  ＣＰＵバス
３４  ＰＣＩバス
３５  Ｘバス（内部バス）
４０  非同期送受信回路
４１  変復調回路
４２、４３  アンプ
４４  赤外線発光ダイオード
４５  フォトダイオード
５０  ＣＰＵ
５１  ＲＯＭ
５２  ＲＡＭ
５３  ＬＣＤ表示コントローラ
５４  ＬＣＤ
５５  タッチパネルコントローラ
５６  タッチパネル
５７  赤外線通信コントローラ 
【図１】
2005317030.tif 000003
【図２】
2005317030.tif 000004
【図３】
2005317030.tif 000005
【図４】
2005317030.tif 000006
【図５】
2005317030.tif 000007
【図６】
2005317030.tif 000008
【図７】
2005317030.tif 000009
【図８】
2005317030.tif 000010
【図９】
2005317030.tif 000011
【図１０】
2005317030.tif 000012
【図１１】
2005317030.tif 000013
【図１２】
2005317030.tif 000014
【図１３】
2005317030.tif 000015
【図１４】
2005317030.tif 000016
【図１５】
2005317030.tif 000017
【図１６】
2005317030.tif 000018